【事件の表示】
　特許第２８９５６３７号「パチンコ機の入賞装置」の請求項１ないし２に係る特許に対する特許異議の申立てについて、次のとおり決定する。
【結　論】
　訂正を認める。
　特許第２８９５６３７号の請求項１ないし２に係る特許を維持する。
【理　由】
（１）手続の経緯
　特許第２８９５６３７号の請求項１及び請求項２に係る発明は、平成２年１２月２８日に特許出願され、平成１１年３月５日にその特許の設定登録がなされたところ、荒井俊之、上田実より特許異議の申立てがなされ、平成１２年３月１７日付けで取消理由通知がなされ、その指定期間内である平成１２年５月３０日に訂正請求がなされたものである。
（２）訂正の適否についての判断
ア．訂正の内容　
　訂正事項a
　特許明細書の【特許請求の範囲】の【請求項１】に係る記載
　「可動翼片で開閉される大入賞口の内部に特定入賞口と普通入賞口を配設したパチンコ機の入賞装置において、前記特定入賞口の入り口に、前記可動翼片の開放動作中、１回の入賞しか許容しないように制御される開閉弁を具備したことを特徴とするパチンコ機の入賞装置。」を、
　「可動翼片で開閉される大入賞口の内部に特定入賞口と普通入賞口を配設し、前記可動翼片の開放動作中に、前記特定入賞口に入賞した場合、前記可動翼片の開放動作終了後、前記可動翼片の開放動作が再度開始されるように構成されたパチンコ機の入賞装置において、前記特定入賞口の入り口に、前記可動翼片の開放動作中、１回の入賞しか許容しないように制御される開閉弁を具備し、前記開閉弁は、前記可動翼片の開放動作開始時には前記特定入賞口を開放状態とすることを特徴とするパチンコ機の入賞装置。」
と訂正する。
　訂正事項b
　特許明細書の【特許請求の範囲】の【請求項２】に係る記載
「前記開閉弁は、所定の付勢力で開放位置に向けて付勢される一方、通過するパチンコ球の重力を検出して閉鎖位置に移動すると共に、閉鎖位置に移動した際には、その閉鎖位置を維持し、前記可動翼片の閉鎖動作に従って、その閉鎖位置を解除して元の開放位置に復帰させる復帰機構を備えたことを特徴とする請求項１に記載のパチンコ機の入賞装置。」を、
「前記開閉弁は、所定の付勢力で開放位置に向けて付勢され、前記特定入賞口に向けて通過するパチンコ球の重力によって、前記パチンコ球の通過と同時に閉鎖位置に移動するものであって、前記開閉弁が閉鎖位置に移動した際には、その閉鎖位置を維持する固定部材、および可動翼片駆動手段による前記可動翼片の閉鎖動作に従って、前記固定部材による固定を解除し、その閉鎖位置を解除して元の開放位置に復帰させる復帰機構を備えたことを特徴とする請求項１に記載のパチンコ機の入賞装置。」
と訂正する。
　訂正事項c
　同明細書の段落【０００５】（特許公報の第２頁左欄第８行乃至第１８行に記載）に記載の「本発明のパチンコ機の入賞装置は、可動翼片で開閉される大入賞口の内部に特定入賞口と普通入賞口を配設したものであって、前記特定入賞口の入り口に、前記可動翼片の開放動作中、１回の入賞しか許容しないように制御される開閉弁を具備したことを特徴とする構成を有する。また、前記開閉弁は、所定の付勢力で開放位置に向けて付勢される一方、通過するパチンコ球の重力を検出して閉鎖位置に移動すると共に、閉鎖位置に移動した際には、その閉鎖位置を維持し、前記可動翼片の閉鎖動作に従って、その閉鎖位置を解除して元の開放位置に復帰させる復帰機構を備える。」を、
「本発明のパチンコ機の入賞装置は、可動翼片で開閉される大入賞口の内部に特定入賞口と普通入賞口を配設し、前記可動翼片の開放動作中に、前記特定入賞口に入賞した場合、前記可動翼片の開放動作終了後、前記可動翼片の開放動作が再度開始されるように構成されたパチンコ機の入賞装置において、前記特定入賞口の入り口に、前記可動翼片の開放動作中、１回の入賞しか許容しないように制御される開閉弁を具備し、前記開閉弁は、前記可動翼片の開放動作開始時には前記特定入賞口を開放状態とすることを特徴とする構成を有する。また、前記開閉弁は、所定の付勢力で開放位置に向けて付勢され、前記特定入賞口に向けて通過するパチンコ球の重力によって、前記パチンコ球の通過と同時に閉鎖位置に移動するものであって、前記開閉弁が閉鎖位置に移動した際には、その閉鎖位置を維持する固定部材、および可動翼片駆動手段による前記可動翼片の閉鎖動作に従って、前記固定部材による固定を解除し、その閉鎖位置を解除して元の開放位置に復帰させる復帰機構を備える。」
と訂正する。
イ．訂正の目的の適否、新規事項の有無、及び拡張・変更の存否
　上記訂正事項ａ及びｂは、特許請求の範囲の減縮を目的とし、上記訂正事項ｃは、特許請求の範囲の訂正に伴って発明の詳細な説明を整合させるためのものであって、明りょうでない記載の釈明を目的とし、これらの訂正事項は、願書に添付した明細書又は図面に記載された事項の範囲内のものであって、実質的に特許請求の範囲を拡張又は変更するものではない。
ウ．独立特許要件の判断
（本件発明）
　本件発明は、平成１２年５月３０日付け訂正請求書により訂正された訂正明細書の請求項１及び２に記載される事項により特定されるとおりのものである（（２）ア．訂正事項ａ及びｂを参照）。
（引用刊行物）
　訂正明細書の請求項１及び請求項２に係る発明（以下「本件発明１及び２」という。）に対して、当審が平成１２年３月１７日付けの取消理由で引用した刊行物１〜５には、それぞれ以下のとおり記載されている。
刊行物１（実願昭６２−５６３９２号（実開昭６３−１６３８７４号）のマイクロフィルム）
「可変表示器３の表示内容で扉板６が所定時間だけ入賞口５を開放し、この時、扉板６上にパチンコ球８が落下して継続入賞口９としての球受部２５に向けて転がり、その内部に留まる。そして、所定時間が経過した後、扉板６が入賞口５を閉じると同時に、ソレノイド３５を励磁することによって球受部２５を傾け、球受部２５内のパチンコ球８を落下させ、継続入賞検出スイッチ１０が入賞検出する。」（第１１頁第１行〜第９行）
刊行物２（特開昭６３−２４９５９３号公報）
「すなわち、遊技球が開状態の大入賞口２に入賞し、その遊技球が大入賞口２内の下部に設けたＶ入賞口１３に入賞すると、Ｖ検知器Ｓ４が検知信号を可動羽根制御回路５０と開閉蓋制御回路５２に送り、大入賞口２の開閉動作を継続する権利が発生し、ラウンド表示器３が「１」を表示すると共に、開閉蓋２０が押し出されてＶ入賞口１３は閉状態となる。Ｖ入賞口１３は大入賞口２が１２回目の連続開閉動作を終了したとき、大入賞口２に遊技球が６個入賞したとき又は遊技者が指示スイッチＳを操作したときに開状態となる。そして大入賞口２が１８回連続開閉動作を繰り返すか、又は大入賞口２に遊技球が１０個入賞するまでの間に、遊技球が大入賞口２内のＶ入賞口１３に入賞しなければ連続動作は終了し、初期状態に戻る。」（第５頁右上欄第９行〜左下欄第４行）
刊行物３（実公昭５６−４０４６１号公報）
「前記実施例においては、第３図鎖線及び第４図のとおりに開閉可動板４が傾動して水平軸３より上方部分を支持板１の前面に突出しているときは、第４図のとおりに傾動安定ロック片１４のロック板１５が被ロック面７に係合しかつ衝合片１６が該可動板４上に垂下し、他方ではロック装置１０のロック片１１が円弧面６に後側から圧接する。このとき支持板１の前面を流下する打玉ａが開閉可動板４によって捕捉されると衝合片１６に当たって傾動安定ロック片１４のロック板１５によるロックを外すため、該可動板４が打玉ａの重量で第３図のとおりに起立し、ロック装置１０のロック片１１がロック受面５に図示のとおりに接して起立姿勢を保持する。他方、マグネット２１がマグネット２２にほぼ接して同極磁性の作用により開閉可動板４を傾動姿勢に倒そうとするが、ロック装置１０による前記のロック作用で傾動を生じない。」（第３欄８行〜第２４行）
刊行物４（特開昭５９−１０８５７８号公報）
「この状態において打球が起立した左右の翼片８，８の間を通して飛入すると、この飛入球はポケット内部に突き入る揺動板２２の上記先端部２２ａに受けられ、その後勾配に従って飛入口５を抜けて揺動板２２の後端へと移動し、その重量を以てこの揺動板を後傾姿勢へと変換させることになり、前記両駒部材１０，１０間に介入した前端部２２ａを跳上げることになる。このため、前端部２２ａによって回動が規制されていた駒部材は常時開放方向へ回動するよう設定された翼片８の重量を受けて内方向に回動を強制され、その突片１３を磁石１７に衝合させるまで回動し、これによって両翼片を開放させると共に、自からは上記突片１３に備える鉄片１６を磁石１７に吸着させてその任意な回動が拘束され、他方の突片１２を内方に突き出した状態に維持することになる（第７図）。このとき、飛入球によって後傾姿勢に変換された揺動板２２は球の転出と共に再び前端部に重心が戻るため、跳上げられた前端部２２ａは下降し、左右の駒部材の間に介入しようとするが、該駒部材は磁石１７の吸着によって回動が拘束されていることから、この前端部は駒部材の突片１２上に受けられ、第７図二点鎖線で示した位置に保たれることになる。次に、この開放姿勢において、次の打球が翼片に受けられ若しくは直接に飛入ポケット３に飛入すると、この球はポケットの途中を閉ざすように突き出す駒部材の突片１２の上に落下するため、その重量を受けて磁石１７によって拘束された駒部材は外方に強制回動され、左右の駒部材の間を開くと共に、衝合部１４，１５の衝き合せによって連動する翼片８を同時に回動させてこれを再び閉塞姿勢に戻すことになる。そして、この飛入球の落下に伴う突片１２の開放に伴ってその上方に待期していた揺動板の先端部２２ａが下降し、再び両駒部材の間に介入し、その回動を拘束するため、上記閉塞した翼片はその姿勢に拘束され、次の打球の飛入があるまで閉塞姿勢を維持することになる。」（第３頁右下欄第１２行〜第４頁右上欄第１１行）
刊行物５（特開昭６４−３７９７９号公報）
「この状態において翼片１５，１６の狭い間隙を通して打球が飛入すると、この球、即ち入賞球は両翼片の間に開設した球受板２４に受け止められ、直接翼片１５，１６にその重量を影響させることなく、この球受板の傾斜に沿って後方に流れ、飛球窓１２を通してこれに臨む第１の切換板２０ａの上面に送り込まれることになる。そして、この切換板２０ａに転入した入賞球はその傾斜に従って後方に移動し支軸１９上を通過して案内路板２０ｃに達した時点で重量により支軸１９を支点に第１の切換板２０ａを跳上げ、第２の切換板２０ｂをこれに代えて球受板２４の背後に臨ませることになる。（第６図参照）。この第１の切換板２０ａの跳上げによって滑合部２３から開放された左右の翼片１５，１６は自重によって外方に傾倒し対向面部を開放し開放姿勢へと変換することになる。（第４，５図）。次に、この開放状態において打球が飛入すると、この入賞球は球受板２３に受けられ前述したのと同様にその傾斜に従って飛入窓１２を通過し、これに臨む第２の切換板２０ｂ上に転入する。入賞球を受けた第２の切換板２０ｂは球の重量で重錘２１を押上げながら支軸１３を支点に前傾し、下方にこの入賞球を逃すと共に再び第１の切換板２０ａを水平姿勢に戻すことになる。この第２の切換板２０ｂの前傾に伴なって下降する入賞球は誘導板２５に受けられ、切換板の回動途中で上面から脱出することなく下降し、完全に第２の切換板が下向きになったとき図示しない入賞球通路へと転出することになる。一方、この第２の切換板２０ｂの回動に伴って水平姿勢に戻る第１の切換板２０ａは回動の途中で滑合部２２の衝合部２２ａを略水平の状態になって寄り合う補助滑合部２３の上面に衝合させ、次に回動と共にこれを押し下げて支軸１３，１４を支点に左右の翼片１５，１６を起ち上げ閉塞姿勢に戻すことになる。そして、この第１の切換板２０ａが水平姿勢に戻ったとき衝合部２２を補助滑合部２３の内側に割込ませた状態に保ち第１図に示した閉塞姿勢に拘束し、再びこの閉じた状態において打球が両翼片１５，１６の間を通して飛入するのを待機することになる。」（第４頁左上欄第１行〜左下欄第２行）」
（対比・判断）
　本件発明１及び２と、上記刊行物１〜５に記載された発明とを対比すると、これらの刊行物に記載の発明は、本件発明１及び２を特定する事項である「特定入賞口の入り口に、前記可動翼片の開放動作中、１回の入賞しか許容しないように制御される開閉弁を具備し、前記開閉弁は、前記可動翼片の開放動作開始時には前記特定入賞口を開放状態とする」構成を備えておらず、また、これを示唆する記載も認められない。本件発明１及び２は、上記構成を備えることにより、意見書で主張する「可動翼片の開放動作中にパチンコ球が特定入賞口へ流下しようとする場合、特定入賞口への入賞に基く、可動翼片の開放動作終了後の可動翼片の再度の開放動作の可能性を、可動翼片の開放動作開始時から確実なものとすることができ、特定入賞口に１個入賞後は特定入賞口への入賞を不可能とし、２重検出等のトラブルを回避することができる。」という顕著な効果を奏するものであるから、本件発明１及び２が、上記刊行物１〜５に記載された発明でないことは明らかであり、かつこれらの刊行物記載の発明に基づいて当業者が容易に発明をすることができたものとすることはできない。
　なお、刊行物１の上記記載によれば、入賞口５が開放した時、球受部２５（本件発明１及び２の開閉弁に相当）は閉じており、本件発明１及び２の「前記開閉弁は、前記可動翼片の開放動作開始時には前記特定入賞口を開放状態とする」とは相違する。
　また、刊行物２の上記記載によれば、大入賞口２が開放した時、開閉蓋２０（本件発明１及び２の開閉弁に相当）は閉じており、本件発明１及び２の「前記開閉弁は、前記可動翼片の開放動作開始時には前記特定入賞口を開放状態とする」とは相違する。
　したがって、本件発明１及び２は、特許出願の際、独立して特許を受けることができないとすることはできない。
エ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項の規定に適合し、同条第３項で準用する第１２６条第２−４項の規定に適合するので、上記訂正を認める。
（３）特許異議申立てについての判断
ア．本件発明
　本件発明は、平成１２年５月３０日付け訂正請求書により訂正された訂正明細書の請求項１及び２に記載される事項により特定されるとおりのものである（（２）ア．訂正事項ａ及びｂを参照）。
イ．申立ての理由の概要
　申立人荒井俊之は、甲第１〜３号証（上記刊行物１〜３）を提出して、本件発明１は、甲第１号証、もしくは甲第２号証に記載された発明であるから、特許法第２９条第１項第３号の規定により、あるいは、甲第１，２号証に記載された発明に基づいて、当業者が容易に発明をすることができたものであるから、同法第２９条第２項の規定により特許を受けることができないものであり、本件発明２は、甲第１，３号証に記載された発明に基づいて、当業者が容易に発明をすることができたものであるから、同法第２９条第２項の規定により特許を受けることができないものであり、同法第１１３条第１項第２号の規定により特許を取り消されるべきと主張している。
　申立人上田実は、甲第１〜３号証（上記刊行物２，４，５）、甲第４号証（特開平２−１５４７７５号公報）を提出して、本件発明１は、甲第１号証に記載された発明であるから、特許法第２９条第１項第３号の規定により、本件発明２は、甲第１〜４号証に記載された発明に基づいて、当業者が容易に発明をすることができたものであるから、同法第２９条第２項の規定により特許を受けることができないものであり、同法第１１３条第１項第２号の規定により特許を取り消されるべきと主張している。
　上記甲第４号証（特開平２−１５４７７５号公報）には以下のとおり記載されている。
「上記のように構成された入賞球処理装置１８０の先端部が、その収容空間１８４中の重錘球５５０が後方に移動することによって、上昇した状態にあるときに、流下樋１７１ａ上を流下してくる入賞球５００が入賞球処理装置１８０先端の入賞球分離穴１８３中に流入すると、そのときの入賞球５００の重みで入賞球処理装置１８０の先端側が下降してその入賞球分離穴１８３中の入賞球５００がその下流側の入賞球導出樋２４０中に放出される。このとき、入賞球処理装置１８０内部の収容空間１８４中に収容されている重錘球５５０の重みで入賞球処理装置１８０の先端側が下がった状態に維持され、係止部材１９０もその先端部が入賞球導出樋２４０中に進入した状態に維持される。流下樋１７１ａ上を流下してくる後続の入賞球５００は、入賞球処理装置１８０の先端のストッパ１８６によって、流下樋１７１ａ上に係止される。そして、そのとき入賞球導出樋２４０中に放出された入賞球５００は、その流下の過程で入賞球検出器（セーフセンサ２）２４１により検出され、その検出信号に基づき、前記賞品球排出装置２２０が作動されて賞球排出がなされることになる。入賞球検出器（セーフセンサ２）２４１により検出された入賞球５００は、その賞球排出がなされるまでの間、入賞球導出樋２４０中に進入した状態にある係止部材１９０によって流下を阻止された状態となる。そして、その入賞球５００に対する賞球排出がなされた時点で、制御装置３００からの指令によりセーフソレノイド１８１が作動（励磁）されて、入賞球処理装置１８０がその先端部が上昇した状態に復帰され、それと連動して係止部材１９０が入賞球導出樋２４０中から退出する。」（第７頁左下欄第４行〜右下欄第１８行）
ウ．判断
　申立人荒井俊之の提出した甲第１〜３号証（上記刊行物１〜３）及び申立人上田実の提出した甲第１〜３号証（上記刊行物２，４，５）に記載された発明は、本件発明１、２を特定する事項である「特定入賞口の入り口に、前記可動翼片の開放動作中、１回の入賞しか許容しないように制御される開閉弁を具備し、前記開閉弁は、前記可動翼片の開放動作開始時には前記特定入賞口を開放状態とする」構成を備えていないことは、上記（２）ウで述べたとおりであって、また、申立人上田実の提出した上記甲第４号証に記載された発明も、上記構成を備えておらず、これを示唆する記載も認められないから、本件発明１及び２は、申立人荒井俊之の提出した甲第１、２号証、申立人上田実の提出した甲第１号証に記載された発明ではなく、また、これら甲各号証に記載された発明に基づいて、当業者が容易に発明をすることができたものとすることはできない。
エ．むすび
　以上のとおりであるから、特許異議申立ての理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１２年６月１５日（２０００．６．１５）
【訂正の要旨】
　訂正の要旨
　特許第２８９５６３７号発明の明細書を以下のとおり訂正する。
　訂正事項ａ
　特許明細書の【特許請求の範囲】の【請求項１】に係る記載
　「可動翼片で開閉される大入賞口の内部に特定入賞口と普通入賞口を配設したパチンコ機の入賞装置において、前記特定入賞口の入り口に、前記可動翼片の開放動作中、１回の入賞しか許容しないように制御される開閉弁を具備したことを特徴とするパチンコ機の入賞装置。」を特許請求の範囲の減縮を目的として、
　「可動翼片で開閉される大入賞口の内部に特定入賞口と普通入賞口を配設し、前記可動翼片の開放動作中に、前記特定入賞口に入賞した場合、前記可動翼片の開放動作終了後、前記可動翼片の開放動作が再度開始されるように構成されたパチンコ機の入賞装置において、前記特定入賞口の入り口に、前記可動翼片の開放動作中、１回の入賞しか許容しないように制御される開閉弁を具備し、前記開閉弁は、前記可動翼片の開放動作開始時には前記特定入賞口を開放状態とすることを特徴とするパチンコ機の入賞装置。」
と訂正する。
　訂正事項ｂ
　特許明細書の【特許請求の範囲】の【請求項２】に係る記載
「前記開閉弁は、所定の付勢力で開放位置に向けて付勢される一方、通過するパチンコ球の重力を検出して閉鎖位置に移動すると共に、閉鎖位置に移動した際には、その閉鎖位置を維持し、前記可動翼片の閉鎖動作に従って、その閉鎖位置を解除して元の開放位置に復帰させる復帰機構を備えたことを特徴とする請求項１に記載のパチンコ機の入賞装置。」を特許請求の範囲の減縮を目的として、
「前記開閉弁は、所定の付勢力で開放位置に向けて付勢され、前記特定入賞口に向けて通過するパチンコ球の重力によって、前記パチンコ球の通過と同時に閉鎖位置に移動するものであって、前記開閉弁が閉鎖位置に移動した際には、その閉鎖位置を維持する固定部材、および可動翼片駆動手段による前記可動翼片の閉鎖動作に従って、前記固定部材による固定を解除し、その閉鎖位置を解除して元の開放位置に復帰させる復帰機構を備えたことを特徴とする請求項１に記載のパチンコ機の入賞装置。」
と訂正する。
　訂正事項ｃ
　同明細書の段落【０００５】（特許公報の第２頁左欄第８行乃至第１８行に記載）に記載の「本発明のパチンコ機の入賞装置は、可動翼片で開閉される大入賞口の内部に特定入賞口と普通入賞口を配設したものであって、前記特定入賞口の入り口に、前記可動翼片の開放動作中、１回の入賞しか許容しないように制御される開閉弁を具備したことを特徴とする構成を有する。また、前記開閉弁は、所定の付勢力で開放位置に向けて付勢される一方、通過するパチンコ球の重力を検出して閉鎖位置に移動すると共に、閉鎖位置に移動した際には、その閉鎖位置を維持し、前記可動翼片の閉鎖動作に従って、その閉鎖位置を解除して元の開放位置に復帰させる復帰機構を備える。」を明りょうでない記載の釈明を目的として、
「本発明のパチンコ機の入賞装置は、可動翼片で開閉される大入賞口の内部に特定入賞口と普通入賞口を配設し、前記可動翼片の開放動作中に、前記特定入賞口に入賞した場合、前記可動翼片の開放動作終了後、前記可動翼片の開放動作が再度開始されるように構成されたパチンコ機の入賞装置において、前記特定入賞口の入り口に、前記可動翼片の開放動作中、１回の入賞しか許容しないように制御される開閉弁を具備し、前記開閉弁は、前記可動翼片の開放動作開始時には前記特定入賞口を開放状態とすることを特徴とする構成を有する。また、前記開閉弁は、所定の付勢力で開放位置に向けて付勢され、前記特定入賞口に向けて通過するパチンコ球の重力によって、前記パチンコ球の通過と同時に閉鎖位置に移動するものであって、前記開閉弁が閉鎖位置に移動した際には、その閉鎖位置を維持する固定部材、および可動翼片駆動手段による前記可動翼片の閉鎖動作に従って、前記固定部材による固定を解除し、その閉鎖位置を解除して元の開放位置に復帰させる復帰機構を備える。」
と訂正する。
（５４）【発明の名称】
パチンコ機の入賞装置
（５７）【特許請求の範囲】
　【請求項１】　可動翼片で開閉される大入賞口の内部に特定入賞口と普通入賞口を配設し、
前記可動翼片の開放動作中に、前記特定入賞口に入賞した場合、前記可動翼片の開放動作終了後、前記可動翼片の開放動作が再度開始されるように構成された
、前記開閉弁は、前記可動翼片の開放動作開始時には前記特定入賞口を開放状態とする
　【請求項２】　前記開閉弁は、所定の付勢力で開放位置に向けて付勢され
、前記特定入賞口に向けて
によって、前記パチンコ球の通過と同時に
ものであって、前記開閉弁が
する固定部材、および可動翼片駆動手段による
前記固定部材による固定を解除し、
【発明の詳細な説明】
　【０００１】
　【産業上の利用分野】
　本発明は、パチンコ機の入賞装置に関する。
　【０００２】
　【従来の技術】
　可動翼片で開閉される大入賞口の内部に複数種の入賞口を配設したパチンコ機の入賞装置は既に公知である。
　【０００３】
　一般に、この種の入賞装置においては、入賞装置の両側に配設された揺動式の可動翼片や入賞装置の前面に配設されたアタッカ状の可動翼片を特定条件の成立に伴って所定時間開放し、また、この間に大入賞口に落入したパチンコ球のうち大入賞口内部の特定入賞口に入賞したパチンコ球の数を計数することにより、特定入賞口に入賞したパチンコ球の数に応じて一定の範囲内で可動翼片を連続開放するなどして遊技態様を変化させるようになっていた。
　【０００４】
　【発明が解決しようとする課題】
本発明の目的は、可動翼片で開閉される大入賞口の内部に複数種の入賞口を配設したパチンコ機の入賞装置において、より趣興性の高い新規なパチンコ機の入賞装置を提供することにある。
　【０００５】
　【課題を解決するための手段】
　本発明のパチンコ機の入賞装置は、可動翼片で開閉される大入賞口の内部に特定入賞口と普通入賞口を配設し、
前記可動翼片の開放動作中に、前記特定入賞口に入賞した場合、前記可動翼片の開放動作終了後、前記可動翼片の開放動作が再度開始されるように構成された
、前記開閉弁は、前記可動翼片の開放動作開始時には前記特定入賞口を開放状態とする
、前記特定入賞口に向けて
によって、前記パチンコ球の通過と同時に
ものであって、
する固定部材、および可動翼片駆動手段による
前記固定部材による固定を解除し、
　【０００６】
　【作用】
　可動翼片の開放中に特定入賞口の入り口に落入したパチンコ球が開閉弁を介して特定入賞口に入賞すると、開閉弁が閉じ、特定入賞口への入賞を禁止する。
　【０００７】
　【０００８】
　可動翼片の開放中に特定入賞口の入り口に落入したパチンコ球が開閉弁を介して特定入賞口に入賞すると、パチンコ球の重力を検出した開閉弁が、閉鎖位置に移動すると共に閉鎖位置を維持する。可動翼片を開閉する駆動手段によって可動翼片が閉鎖されると、可動翼片の閉鎖動作に従って復帰機構が開閉弁の閉鎖位置を解除し、開放位置に向けて付勢された開閉弁が開放位置に復帰する。
　【０００９】
　【実施例】
　以下、図面を参照して本発明の実施例を説明する。
　【００１０】
　図１は本発明によるパチンコ機の入賞装置（以下、単に入賞装置という）５を装着した一実施例のパチンコ機１の要部を示す正面図であり、遊技盤２の下部に配設された入賞装置５にはアタッカ状の可動翼片３によって開閉される大入賞口４が設けられ、また、該遊技盤２の略中央部には特別図柄表示ＬＥＤ群ＳＬ，ＳＭ，ＳＲを備えた表示ユニット６が配設されている。
　【００１１】
　入賞装置５における大入賞口４の両側には該入賞装置５と一体に左，右第１種始動口７ａ，７ｂが併設され、左，右第１種始動口７ａ，７ｂの各々には第１種始動口入賞検出スイッチＳＷ２ａ，ＳＷ２ｂが設けられている。
　【００１２】
　表示ユニット６直下の遊技盤２上には、第１種始動口入賞検出スイッチＳＷ２ｃを備えた中第１種始動口７ｃが配設され、更にその下には、普通役物開放ソレノイドＳＯＬ１を駆動源とする開閉部材８で開閉される電動役物９が配設されている。
　【００１３】
　電動役物９における開閉部材８の開放面積は入賞装置５における可動翼片３の開放面積に比べて大きく、第１種始動口入賞検出スイッチＳＷ２ａ，ＳＷ２ｂ，ＳＷ２ｃの各々は、賞球の払出し対象となる左，右，中第１種始動口７ａ，７ｂ，７ｃへの入賞を検出する入賞検出手段を兼ね、また、電動役物９には該役物９への入賞を検出する普通役物入賞検出スイッチＳＷ５が設けられている。普通役物開放ソレノイドＳＯＬ１による開閉部材８の駆動機構や開閉動作については周知であるから特に説明しない。
　【００１４】
　遊技盤２の上部両側に設けられた左，右ゲート１０ａ，１０ｂに配されている特定領域通過検出スイッチＳＷ１ａ，ＳＷ１ｂは、遊技盤２の表面に沿って落下する打球が左，右ゲート１０ａ，１０ｂの位置を通過したか否かを検出する近接スイッチであり、左，右ゲート１０ａ，１０ｂには賞球の払出し対象となる入賞口は配設されていない。以下、第１種始動口入賞検出スイッチＳＷ２ａ，ＳＷ２ｂ，ＳＷ２ｃを総じて第１種始動口入賞検出スイッチＳＷ２といい、特定領域通過検出スイッチＳＷ１ａ，ＳＷ１ｂを総じて特定領域通過検出スイッチＳＷ１という。
　【００１５】
　また、入賞装置５における大入賞口４の直下には普通図柄表示ＬＥＤ群ＮＬ，ＮＲが一体的に装着され、普通図柄表示ＬＥＤ群ＮＬ，ＮＲの両側には、特定領域である左，右ゲート１０ａ，１０ｂを通過した打球の数を点灯個数で表示する記憶数表示ＬＥＤ（Ａ）が複数個併設されると共に、表示ユニット６における特別図柄表示ＬＥＤ群ＳＬ，ＳＭ，ＳＲの両側には、左，右，中第１種始動口７ａ，７ｂ，７ｃへの入賞数を点灯個数で表示する記憶数表示ＬＥＤ（Ｂ）が複数個併設され、更に、表示ユニット６における特別図柄表示ＬＥＤ群ＳＬ，ＳＭ，ＳＲの上方には、大入賞口４への入賞数を点灯個数で表示する大入賞口入賞数表示ＬＥＤ（Ｃ）が多数横設されている。
　【００１６】
　図２は入賞装置５を遊技盤２から取外して外観を示す斜視図であり、該入賞装置５には、可動翼片３によって開閉される大入賞口４および左，右第１種始動口７ａ，７ｂと普通図柄表示ＬＥＤ群ＮＬ，ＮＲ、更に、記憶数表示ＬＥＤ（Ａ）が一体的に装着され、入賞装置５における大入賞口４の内部には、該入賞口４の長手方向に離間して形設された内部の隔壁１１，１２によって３つの入賞口１３，１４，１５が分割して形成されると共に、中央に位置する特定入賞口１３には、いわゆる役物連続作動装置を構成する特定領域入賞検出スイッチＳＷ４が配設されている。符号５０は第１種始動口７ａ，７ｂに入賞した打球を遊技盤２側に回収する球誘導樋である。
　【００１７】
　なお、図１中、符号５１は表示ユニット６と一体に構成された天入賞口、符号５２は遊技盤２上に回動自在に軸支されたランプ付風車、符号５３は風車、符号５４ａおよび５４ｂは左，右肩入賞口、符号５５ａおよび５５ｂは左，右チューリップ式役物、符号５６ａおよび５６ｂは装飾表示灯、符号５７は球誘導レール、符号５８は返しゴム、符号５９はアウト球受口である。天入賞口５１、左，右肩入賞口５４ａ，５４ｂおよび左，右チューリップ式役物５５ａ，５５ｂに連絡する球回収樋はパチンコ機の内部で合流され、これらの普通入賞口へ入賞したパチンコ球が球回収樋上に配設された普通入賞口入賞検出スイッチＳＷ６を作動させるようになっている。
　【００１８】
　また、遊技盤２は音声効果のためのスピーカや賞球払出し装置および多数の装飾表示灯や装飾ＬＥＤ等を備えるが、各要素の構成や作用については公知であるから詳細は省略する。
　【００１９】
　図３は入賞装置５の裏面に固設されたリアプレート１６の側から該入賞装置５の要部を示す背面透視図であり、図４は入賞装置５の略中央部を上下に割って要部を示す側断面図である。
　【００２０】
　図３および図４に示されるように、大入賞口４を開閉する可動翼片３は入賞装置５のフロントパネル１７に軸１８を介して揺動自在に枢着され、可動翼片３に固設されたレバー２１が、リアプレート１６の裏面に配設された大入賞口開放ソレノイドＳＯＬ２のアクチュエータ部材１９の一部であるリンク部材２０に係合している。図３および図４では大入賞口開放ソレノイドＳＯＬ２の励磁が解除されて可動翼片３が閉鎖した状態を示しているが、大入賞口開放ソレノイドＳＯＬ２のコイル部材２２が励磁されてスプリング２６の弾性に抗して可動鉄芯２３を吸着すると、リアプレート１６の裏面に形成されたガイド片２４，２５で摺動自在に保持されたアクチュエータ部材１９が図３に示される下死点位置から上方に移動し、リンク部材２０がレバー２１と摺接しつつ軸１８を中心にレバー２１を揺動して可動翼片３を反時計方向に回転させ、大入賞口４を開放する。
　【００２１】
　また、リアプレート１６の略中央部に穿設された矩形状の貫通口２７には３枚の板状カム２９，３０，３１を一体に連設して構成した開閉弁２８が軸３２を中心に揺動自在に軸支され、開閉弁２８の一部はリアプレート１６の裏側から、隔壁１１，１２の問に形成された特定入賞口１３の入り口に向けて突出している。板状カム２９，３０，３１の各々は、その外周部に正円弧状の賞球振分け部３３と逆円弧状の球受け部３４とを有し、板状カム３０の一側に固着されたウェイト３５により、球受け部３４を特定入賞口１３の入り口に突出させる方向、即ち、開放位置に向けて一体的に回転付勢され、隔壁１１，１２の間に形成された特定入賞口１３の下流側には、該特定入賞口１３への入賞を検出する特定領域入賞検出スイッチＳＷ４が配設されている。
　【００２２】
　閉鎖位置に移動した開閉弁２８と係合して開閉弁２８の元位置復帰を阻止する固定部材は、図３に示されるような略ハンマー型の揺動レバー３６によって構成される。揺動レバー３６はリアプレート１６の裏面に立設された軸３７を介して貫通口２７の近傍位置に揺動自在に軸支され、軸支位置近傍の貫通口２７寄りの一側に略円弧状の摺接突起３６ａを備える一方、揺動側の先端同側には矩形状の係合突起３６ｂが形成され、揺動側の先端他側に固着されたウェイト３８によって図３中反時計方向に回転付勢されている。
　【００２３】
　固定部材を構成する揺動レバー３６と開閉弁２８との係合を解除する元位置復帰機構は、大入賞口開放ソレノイドＳＯＬ２のアクチュエータ部材１９と一体に形成された梁状部材３９によって構成され、アクチュエータ部材１９の一側から揺動レバー３６に向けて延出する梁状部材３９の先端には略円弧状の摺接突起３９ａが形成されている。梁状部材３９は可動翼片３を開閉する駆動手段である大入賞口開放ソレノイドＳＯＬ２と連動してアクチュエータ部材１９と共に上下に移動し、アクチュエータ部材１９が図３の下死点位置にあって可動翼片３が閉鎖された状態では、梁状部材３９の摺接突起３９ａが揺動レバー３６の摺接突起３６ａと干渉して揺動レバー３６を図３の時計方向に強制的に揺動し、固定部材３６と開閉弁２８との係合を解除した状態を保持する。
　【００２４】
　図５および図６は上述の図３および図４に対応して大入賞口開放ソレノイドＳＯＬ２が励磁された時の入賞装置５の各部の状態を示したもので、大入賞口開放ソレノイドＳＯＬ２の励磁によって上死点位置に移動したアクチュエータ部材１９のリンク部材２０によってレバー２１が反時計方向に揺動されて可動翼片３が開き、大入賞口４への入賞が可能とされると共に、アクチュエータ部材１９と共に上方に移動した梁状部材３９先端の摺接突起３９ａが揺動レバー３６の摺接突起３６ａから離反して揺動レバー３６の反時計方向への揺動が可能とされる。この状態で、揺動レバー３６の先端に形成された係合突起３６ｂは、図５および図６に示されるように、開閉弁２８を構成する板状カム２９の外側２９ａを押圧することとなるが、揺動レバー３６の係合突起３６ｂおよび板状カム２９の外側２９ａは共に滑らかに形成されており、しかも、ウェイト３８による揺動レバー３６の回転付勢力は微小なものであるから、この押圧力が開閉弁２８の回転動作を拘束することはない。
　【００２５】
　可動翼片３の開放中に大入賞口４の普通入賞口１４，１５へ入賞したパチンコ球４１は、フロントパネル１７とリアプレート１６との問に固設された球誘導壁４０に沿って転動し、大入賞口入賞検出スイッチＳＷ３を作動させた後パチンコ機本体側に回収される。
　【００２６】
　また、可動翼片３が開放されてから特定入賞口１３の入り口に向けて落入する第１個日のパチンコ球４２は、特定入賞口１３の入り口で開閉弁２８の逆円弧状の球受け部３４に迎合され、パチンコ球４２を迎合した開閉弁２８が、球受け部３４に摺接しつつ落下するパチンコ球４２から受ける荷重を検出し、ウエイト３５によって与えられる時計方向への回転付勢力に抗して反時計方向に回転する。そして、パチンコ球４２が開閉弁２８の球受け部３４から完全に離反して荷重が除かれることによりパチンコ球４２の通過が検出された段階で、開閉弁２８は図８に示されるように略直角反時計方向に回転した閉鎖位置にまで回転移動し、略円弧状の賞球振分け部３３を隔壁１１，１２間の特定入賞口１３内に突出させ、落下するパチンコ球４２は更に特定領域入賞検出スイッチＳＷ４と大入賞口入賞検出スイッチＳＷ３を作動させる。
　【００２７】
　開閉弁２８の回転によって賞球振分け部３３が特定入賞口１３内に完全に潜入すると、板状カム２９の外側２９ａが揺動レバー３６の係合突起３６ｂから離反し、揺動レバー３６がウェイト３８からの回転付勢力によって反時計方向に回転し、揺動レバー３６の係合突起３６ｂが板状カム２９の賞球振分け部側端面２９ｂと図７に示すように係合して、ウェイト３５の付勢力によるに開閉弁２８の元位置復帰回転を阻止する。賞球振分け部３３が特定入賞口１３内に完全に潜入した状態では、開閉弁２８の球受け部側端部２９ｃと貫通口２７の下縁との間隙は微小であり、開閉弁２８は元位置復帰回転と共に図８の反時計方向への回転をも阻止され、実質上、開閉弁２８が完全に固定される。
　【００２８】
　従って、特定入賞口１３への入賞が１回発生してから特定入賞口１３の入り口に向けて落下するパチンコ球の全ては、開閉弁２８の賞球振分け部３３と衝突したのち左右に振り分けられて普通入賞口１４または１５へ入賞することとなり、大入賞口４の一開放動作中に特定入賞口１３へ入賞するパチンコ球の数は１個に制限される。
　【００２９】
　そして、大入賞口開放ソレノイドＳＯＬ２の励磁が解除されてアクチュエータ部材１９が下死点位置に復帰すると、可動翼片３が閉じて大入賞口４が閉鎖される一方、下死点位置に移動する梁状部材３９の摺接突起３９ａが揺動レバー３６の摺接突起３６を押圧して該レバー３６を図７の反時計方向に回転させ、係合突起３６ｂと板状カム２９の賞球振分け部側端面２９ｂとの係合を解除し、開閉弁２８がウエイト３６の回転付勢力によって時計方向に回転され、図４に示されるような元位置に復帰し、大入賞口４の次回の開放動作中における特定入賞口１３への入賞を１球のみ可能な状態とする。
　【００３０】
　また、図９および図１０は他の実施例の入賞装置５′の構成の要部を示す図で、可動翼片３′の開閉機構や特定入賞口１３′および普通入賞口１４′，１５′等の配列に関しては前記の実施例と同様であり、開閉弁や固定部材および元位置復帰機構等の構成のみが異なる。
　【００３１】
　図９および図１０に示される例では、スプリング４３の弾性力で開放位置に向けて付勢された昇降部材４４によって開閉弁が構成されている。この昇降部材４４はフロントパネル１７′とリアプレート１６′との問に上下方向摺動自在に装着された略コの字型の板状体からなり、その上部にはパチンコ球を左右に振り分ける賞球振分け片４５が設けられている。
　【００３２】
　図９および図１０では大入賞口開放ソレノイドトＳＯＬ２′が励磁されて可動翼片３′が開放された状態を示しており、この状態で特定入賞口１３′に落下したパチンコ球は昇降部材４４を支えるスプリングに４３の弾性力に抗して昇降部材４４を下降させる。昇降部材４４が下降限度に達すると、リアプレート１６′の裏面にウェイト４７を有して揺動自在に軸支され、図１０の時計方向に回転付勢された固定部材４６の係合突起４６ｂが昇降部材４４の孔４８と係合して昇降部材４４の元位置復帰を阻止すると共に、昇降部材４４の底面４４ａと隔壁１２′との間から転出したパチンコ球が、リアプレート１６′の裏面に配設された近接スイッチからなる特定領域入賞検出スイッチＳＷ４′を作動させ、更に、大入賞口入賞検出スイッチＳＷ３′を作動させる。昇降部材４４が下降限度に達して元位置復帰を阻止された状態では昇降部材４４の賞球振分け片４５が特定入賞口１３′を閉鎖してパチンコ球を左右に振り分けるので、大入賞口４′の一開放動作中に特定入賞口１３′へ入賞するパチンコ球の数は１個に制限される。
　【００３３】
　そして、大入賞口開放ソレノイドトＳＯＬ２′の励磁が解除されてアクチュエータ部材１９′が下死点位置に復帰すると、可動翼片３′が閉じて大入賞口４′が閉鎖される一方、下死点位置に移動するアクチュエータ部材１９′と一体に形成された断面模型の固定解除部材４９がウェイト４７を押圧して固定部材４６を図１０の反時計方向に揺動し、固定部材４６の係合突起４６ｂと昇降部材４４の孔４８との係合を解除して、パチンコ球を転出した昇降部材４４をスプリング４３の付勢力によって元位置に復帰させる。
　【００３４】
　図９および図１０に示される実施例では、開閉弁をスプリングで開放位置に付勢した点や開閉弁の移動動作を直動とした点が前記の実施例と大きく異なるが、所定の付勢力で開放位置に向けて付勢された開閉弁がパチンコ球の重量を検出して閉鎖位置に移動する点、閉鎖位置に移動した開閉弁と係合する固定部材によって開閉弁の元位置復帰を阻止する点、および、可動翼片を開閉する駆動手段の閉鎖運動に連動して固定部材と開閉弁との係合を解除して開閉弁を元位置復帰させる点に関しては、前記の実施例と全く同様である。
　【００３５】
　図１１は実施例のパチンコ機１および各実施例の入賞装置５および５′を全体的に制御する制御装置１００の要部を示すブロック図であり、該制御装置１００は、パチンコ機全体の制御プログラムや特別図柄表示ＬＥＤ群ＳＬ，ＳＭ，ＳＲおよび普通図柄表示ＬＥＤ群ＮＬ，ＮＲに変動表示すべき複数の図柄を記憶したＲＯＭ１０１、データの一時記憶等に用いられるＲＡＭ１０２、ＲＯＭ１０１の制御プログラムに従ってパチンコ機を全体的に駆動制御するＣＰＵ１０３、データの検出対象となる各種スイッチ等からの入力信号を一時的に記憶する入力検出部１０４、各種制御対象とのインターフェイスを構成する出力回路１０５、ＣＰＵ１０３の駆動タイミングを規制するクロック回路１０６等を備える。
　【００３６】
　前述した各種の入賞検出スイッチＳＷ１乃至ＳＷ６からの信号出力線は制御装置１００の入力検出部１０４に接続され、また、制御対象となるソレノイドＳＯＬ１，ＳＯＬ２や特別図柄表示ＬＥＤ群ＳＬ，ＳＭ，ＳＲおよび普通図柄表示ＬＥＤ群ＮＬ，ＮＲは各々のソレノイド駆動回路１０７，１０８および表示駆動回路１０９を介して制御装置１００の出力回路１０５に接続され、記憶数表示ＬＥＤ（Ａ），（Ｂ）や大入賞口入賞数表示ＬＥＤ（Ｃ）および各種の装飾ＬＥＤ群と共にＣＰＵ１０３の処理によって駆動制御される。制御装置１００の出力回路１０５には、更に、ランプ駆動回路１１０，スピーカ駆動回路１１１を介して装飾表示灯の装飾ランプ群や音声効果のためのスピーカが接続され、更に、図示しない賞球払出し装置等が制御対象として接続されている。以下、入賞装置５に替えて入賞装置５′を用いる場合には、特定領域入賞検出スイッチＳＷ４を特定領域入賞検出スイッチＳＷ４′に、また、大入賞口入賞検出スイッチＳＷ３を大入賞口入賞検出スイッチＳＷ３′に読み替えるものとする。
　【００３７】
　図１５は、ＲＯＭ１０１に格納された制御プログラムに従って制御装置１００のＣＰＵ１０３が実施する処理の概略を示すフロチャートであり、該ＣＰＵ１０３は電源投入と共に各種のカウンタやレジスタおよびフラグ等を初期化してスキャニングカウンタＣ０をリセットした後（ステップＳ１，ステップＳ２）、該スキャニングカウンタＣ０を０から３の範囲で循環的にインクリメントし（ステップＳ８乃至ステップＳ１０）、クロック回路１０６からのクロック信号の入力とスキャニングカウンタＣ０の値に応じ（ステップＳ３）、所定周期毎にステップＳ４乃至ステップＳ７の処理を繰り返し実行することとなる。
　【００３８】
　次に、ステップＳ４乃至ステップＳ７の各処理について詳細に説明する。
　【００３９】
　図１６乃至図１７はステップＳ４の「入賞検出処理」の詳細を示すフローチャートである。
　【００４０】
　ＣＰＵ１０３は所定周期毎の「入賞検出処理」で、まず、特定領域通過検出スイッチＳＷ１の作動が入力検出部１０４に記憶されているか否か、即ち、遊技盤２上に設定された特定領域である左，右ゲート１０ａ，１０ｂの位置を打球が通過し、普通図柄表示ＬＥＤ群ＮＬ，ＮＲの変動を開始する条件が満たされたか否かを判別し（ステップＳ４０１）、ゲート通過が記憶されていれば入力検出部１０４の対応ラッチをリセットして（ステップＳ４０２）、初期値０の通過数記憶レジスタＣｌの値をインクリメントし、ゲート通過数を記憶する（ステップＳ４０３）。ゲート通過記憶数の最大値はステップＳ４０４およびステップＳ４０５の処理で４に制限され、これ以上の値は記憶されず、また、入力検出部１０４の対応ラッチにゲート通過が記憶されていなければステップＳ４０２乃至ステップＳ４０５の処理は非実行となる。
　【００４１】
　次いで、ＣＰＵ１０３は第１種始動口入賞検出スイッチＳＷ２の作動が入力検出部１０４に記憶されているか否か、即ち、左，右，中第１種指導口７ａ，７ｂ，７ｃのいずれかに打球が入賞して特別図柄表示ＬＥＤ群ＳＬ，ＳＭ，ＳＲの変動を開始する条件が満たされたか否かを判別し（ステップＳ４０６）、入賞が記憶されていれば入力検出部１０４の対応ラッチをリセットして（ステップＳ４０７）、初期値０の第１種始動口入賞数記憶レジスタＣ２の値をインクリメントし、第１種始動口７ａ，７ｂ，７ｃへの入賞数を記憶すると共に、初期値０の７発払出しカウンタＣ３の値をインクリメントして賞球払出しの記憶数を更新する（ステップＳ０８）。第１種始動口７ａ，７ｂ，７ｃへの入賞記憶数の最大値はゲート通過数の最大値と同様ステップＳ４０９およびステップＳ４１０の処理で４に制限され、これ以上の値は記憶されず、また、入力検出部１０４の対応ラッチに入賞が記憶されていなければステップＳ４０７乃至ステップＳ４１０の処理は非実行となる。
　【００４２】
　また、ＣＰＵ１０３はステップ４１１の処理で大入賞口入賞検出スイッチＳＷ３の作動が入力検出部２７に記憶されているか否か、即ち、大入賞口４への入賞が記憶されているか否かを判別し、入賞が記憶されていれば入力検出部１０４の対応ラッチをリセットして（ステップＳ４１２）、初期値０の大入賞口入賞数記憶レジスタＣ４の値をインクリメントし、大入賞口４への入賞数を記憶すると共に、初期値０の１５発払出しカウンタＣ５の値をインクリメントして賞球払出しの記憶数を更新する（ステップＳ４１３）。大入賞口４への入賞が可能となるのは開閉部材３が開放された場合のみであり、また、入力検出部１０４の対応ラッチに入賞が記憶されていなければステップＳ４１２およびステップＳ４１３の処理は非実行となる。
　【００４３】
　次いで、ＣＰＵ１０３は大入賞口４に配設された特定領域入賞検出スイッチＳＷ４の作動が入力検出部１０４に記憶されているか否か、即ち、大入賞口４の特定入賞口１３に打球が入賞し、大入賞口４の連続開放動作を行うべき条件が満たされたか否かを判別しくステップＳ４１４）、大入賞口４の中央への入賞が記憶されていれば入力検出部１０４の対応ラッチをリセットして（ステップＳ４１５）、初期値０の特定領域入賞数記憶レジスタＣ６の値をインクリメントし、大入賞口４の連続開放動作を実行すべきむね記憶する（ステップＳ４１６）。また、入力検出部１０４の対応ラッチに特定入賞口１３への入賞が記憶されていなければステップＳ４１５およびステップＳ４１６の処理は非実行となる。なお、特定領域入賞検出スイッチＳＷ４は特定入賞口１３への入賞を検出するのみであり、特定入賞口１３および普通入賞口１４，１５への入賞は大入賞口４への入賞回数として大入賞口入賞検出スイッチＳＷ３の作動に基いて検出される。
　【００４４】
　ＣＰＵ１０３は、また、普通役物入賞検出スイッチＳＷ５の作動が入力検出部１０４に記憶されているか否か、即ち、電動役物９への入賞が記憶されているか否かを判別し（ステップＳ４１７）、入賞が記憶されていれば入力検出部１０４の対応ラッチをリセットして７発払出しカウンタＣ３の値をインクリメントして賞球払出しの記憶数を更新し（ステップＳ４１８）、更に、普通入賞口入賞検出スイッチＳＷ６の作動が入力検出部１０４に記憶されているか否かを判別する（ステップＳ４１９）。普通入賞口入賞検出スイッチＳＷ６の作動は、天入賞口５１、左，右肩入賞口５４ａ，５４ｂおよび左，右チューリップ式役物５５ａ，５５ｂのいずれかへの入賞を意味し、この場合、ＣＰＵ１０３は入力検出部１０４の対応ラッチをリセットして１５発払出しカウンタＣ５の値をインクリメントする（ステップＳ４２０）。
　【００４５】
　以上に述べたように、左，右，中第１種指導口７ａ，７ｂ，７ｃと普通役物９への入賞は賞球７発の払出しの対象となり、その他の入賞口への入賞は全て賞球１５発の払出しの対象となる。また、左，右ゲート１０ａ，１０ｂを通過した打球の記憶数および左，右，中第１種指導口７ａ，７ｂ，７ｃへの入賞回数の記憶数は最大４個に制限される。
　【００４６】
　図１８乃至図１９はステップＳ５の「普通図柄および普通役物駆動処理」の詳細を示すフローチャートである。
　【００４７】
　図１８乃至図１９における符号Ｆ１は普通役物９が開放状態にあることを示す普通役物開放フラグ、符号Ｆ２は普通図柄表示ＬＥＤ群ＮＬ，ＮＲが変動表示中であることを示す普通図柄変動フラグ、符号Ｃ１は左右ゲート１０ａ，１０ｂを通過した打球数を記憶する通過数記憶レジスタであり、電源投入直後の段階では各フラグおよびレジスタの値は共に０に初期化されているから、ＣＰＵ１０３はステップＳ５の「普通図柄および普通役物駆動処理」のサイクルが実行される毎に、ステップＳ５０１乃至ステップＳ５０３の判別処理のみを繰り返し実行することとなる。
　【００４８】
　所定周期毎の「普通図柄および普通役物駆動処理」でステップＳ５０１乃至ステップＳ５０３の処理を繰り返し実行する間にステップＳ４の「入賞検出処理」で左，右ゲート１０ａ，１０ｂの位置を打球が通過したことが検出されると通過数記憶レジスタＣ１の値がインクリメントされ、ステップＳ５０３の判別結果が偽となり、ＣＰＵ１０３はステップＳ５０４乃至ステップＳ５０７に示す普通図柄の変動表示のための初期設定処理を実行する。
　【００４９】
　ＣＰＵ１０３は、まず、左普通図柄表示ＬＥＤ（ＮＬ）および右普通図柄表示ＬＥＤ（ＮＲ）に表示すべき初期の図柄を無作為的に選択するため、０以上９以下の整数値からなる２つの乱数を発生し、普通図柄表示指標ｉ１，ｉ２の各々にこれらの乱数を設定する（ステップＳ５０４）。なお、ＲＮＤ＃は０以上１未満の乱数を小数単位で発生する関数であり、ＩＮＴは与えられた引数を越えない最大の整数を与える関数であるから、ＩＮＴ（ＲＮＤ＃×１０）で与えられる乱数は０以上９以下の整数値となる。また、ＲＮＤ＃の値はＣＰＵ１０３の内部処理により時系列で逐次変化しているから、通常、普通図柄表示指標ｉ１，ｉ２の値が等しくなることはない。指標ｉ１，ｉ１の値に対応してＲＯＭ１０１に格納された普通図柄のデータ例を表１に示す。
　【００５０】
　普通図柄表示指標ｉ１，ｉ２の各々に乱数を設定したＣＰＵ１０３は、次いで、左普通図柄変動時間計測タイマＴＮＬおよび右普通図柄変動時間計測タイマＴＮＲおよび普通図柄切替周期計測タイマｔに各々の設定時間をセットして計時を開始し（ステップＳ５０５）、左普通図柄表示ＬＥＤ（ＮＬ）および右普通図柄表示ＬＥＤ（ＮＲ）の各々に普通図柄表示指標ｉ１，ｉ２の値に対応する普通図柄を表示すると共に（ステップＳ５０６）、普通図柄変動フラグＦ２をセットして、普通図柄表示ＬＥＤ群ＮＬ，ＮＲの変動表示が開始されたことを記憶する（ステップＳｓ０７）。例えば、指標ｉ１に設定された乱数の値が３、指標ｉ２に設定された乱数の値が９であったならば、普通図柄表示ＬＥＤ群ＮＬ，ＮＲの各々には、まず、「２」，「Ｆ」と表示されることになる。
　【００５１】
　次周期以降の「普通図柄および普通役物駆動処理」では既に普通図柄変動フラグＦ２がセットされているので、ＣＰＵ１０３はステップＳ５０１およびステップＳ５０２の判別処理実行後、左普通図柄変動時間計測タイマＴＮＬの設定時間が経過しているか否かを判別し（ステップＳ５０８）、該タイマＴＮＬの設定時間が経過していなければ、更に、普通図柄切替周期計測タイマｔの設定時間が経過しているか否かを判別する（ステップＳ５０９）。そして、タイマＴＮＬおよびタイマｔのいずれの設定時間も経過していなければ、ステップＳ４，ステップＳ６，ステップＳ７の処理と共に、ステップＳ５の「普通図柄および普通役物駆動処理」で、前記と同様、ステップＳ５０１，ステップＳ５０２，ステップＳ５０８，ステップＳ５０９の判別処理のみを繰り返し実行することとなる。
　【００５２】
　このような処理を繰り返し実行する間に、普通図柄切替周期計測タイマｔの設定時間の経過がステップＳ５０９で検出されると、ＣＰＵ１０３は普通図柄切替周期計測タイマｔを再設定して計時を開始すると共に（ステップＳ５１０）、普通図柄表示指標ｉ１，ｉ２の値を０以上９以下の整数値の範囲で循環的にインクリメントし（ステップＳ５１１乃至ステップＳ５１５）、該指標ｉ１，ｉ２の値に基いて左普通図柄表示ＬＥＤ（ＮＬ）および右普通図柄表示ＬＥＤ（ＮＲ）の各々に表１に示されるような普通図柄を循環的に変動表示する（ステップＳ５１６）。
　【００５３】
　【表１】
　前述のように、ステップＳ５０４で指標ｉ１に設定された乱数の値が３、指標ｉ２に設定された乱数の値が９であったとするならば、左普通図柄表示ＬＥＤ（ＮＬ）には「２」，「４」…「Ｆ」，「３」，「７」，「１」，「２」…が循環的に変動表示され、また、右普通図柄表示ＬＥＤ（ＮＲ）には「Ｆ」，「３」…「５」，「６」，「８」，「９」，「Ｆ」…が循環的に変動表示されることとなる。なお、図柄変動を１図柄毎不連続に行うか、普通図柄表示ＬＥＤ群ＮＬ，ＮＲにおけるＬＥＤの配列の行数に応じた１行ピッチの表示切替により連続的に行うかは任意であり、また、無作為な乱数を発生させて普通図柄表示指標ｉ１，ｉ２に設定する処理を図柄の変動表示中に実行することも可能である。
　【００５４】
　そして、左普通図柄表示ＬＥＤ（ＮＬ）および右普通図柄表示ＬＥＤ（ＮＲ）の変動表示を実行する間に、左普通図柄変動時間計測タイマＴＮＬの設定時間の経過がステップＳ５０８で検出されると、ＣＰＵ１０３は左普通図柄表示ＬＥＤ（ＮＬ）の変動表示を停止し、右普通図柄変動時間計測タイマＴＮＲの設定時間が経過したか否かを判別するる（ステップＳ５１７）。タイマＴＮＲの設定時間が経過していなければ、ステップＳ４，ステップＳ６，ステップＳ７の処理と共に、ステップＳ５の「普通図柄および普通役物駆動処理」で、ステップＳ５０１，ステップＳ５０２，ステップＳ５０８，ステップＳ５１７，ステップＳ５１８の判別処理のみを繰り返し実行し、普通図柄切替周期計測タイマｔの設定時間の経過がステップＳ５１８で検出される毎に、普通図柄切替周期計測タイマｔを再設定して計時を開始すると共に（ステップＳ５１９）、普通図柄表示指標ｉ２の値を０以上９以下の整数値の範囲で循環的にインクリメントし（ステップＳ５２０乃至ステップＳ５２２）、該指標ｉ２の値に基いて右普通図柄表示ＬＥＤ（ＮＲ）の変動表示のみを継続して実行する（ステップＳ５２３）。
　【００５５】
更に、右普通図柄変動時間計測タイマＴＮＲの設定時間経過がステップＳ５１７で検出されると、ＣＰＵ１０３は右普通図柄表示ＬＥＤ（ＮＲ）の変動表示を停止し、普通図柄変動フラグＦ２をリセットして普通図柄表示ＬＥＤ群ＮＬ，ＮＲの変動表示が終了したことを記憶する（ステップＳ５２４）。
　【００５６】
　図１２は、左普通図柄表示ＬＥＤ（ＮＬ）および右普通図柄表示ＬＥＤ（ＮＲ）の変動表示の一例を示すタイミングチャートであり、実施例の場合、左普通図柄表示ＬＥＤ（ＮＬ）の変動表示実行時間となる左普通図柄変動時間計測タイマＴＮＬの設定値は約６．０秒、右普通図柄表示ＬＥＤ（ＮＲ）の変動表示実行時間となる右普通図柄変動時間計測タイマＴＮＲの設定値は約６．５秒であって、普通図柄表示ＬＥＤはＮＬ，ＮＲの順で停止する。
　【００５７】
　次いで、ＣＰＵ１０３は通過数記憶レジスタＣ１の値をディクリメントして左，右ゲート１０ａ，１０ｂの打球通過による普通図柄の図柄合せが１回完了したことを記憶し（ステップＳ５２５）、普通図柄表示指標ｉ１，ｉ２の値が共に１であるか否か、即ち、普通図柄表示ＬＥＤ群ＮＬ，ＮＲの各々に当り図柄として設定された図柄「７」が共に表示されているか否かを判別する（ステップＳ５２６）。
　【００５８】
　そして、普通図柄表示指標ｉ１，ｉ２の値が共に１であって普通図柄表示ＬＥＤ群ＮＬ，ＮＲの双方に当り図柄「７」が表示されていると判別されたならば、ＣＰＵ１０３は普通役物開放時間計測タイマＴａに設定時間をセットして計時を開始すると共に（ステップＳ５２７）、ソレノイド駆動回路１０７を介して普通役物開放ソレノイドＳＯＬ１を駆動し、電動役物９の開閉部材８を揺動して該役物９を開放し（ステップＳ５２８）、更に、普通役物開放フラグＦ１をセットして電動役物９が開放状態にあることを記憶する（ステップＳ５２９）。
　【００５９】
　電動役物９が開放されるのは普通図柄表示ＬＥＤ群ＮＬ，ＮＲの双方に当り図柄「７」が表示された場合のみであり、これ以外の図柄の組合せでは、電動役物９は開放されない。表１から明らかなように、普通図柄表示ＬＥＤ群ＮＬ，ＮＲの双方に当り図柄「７」が表示される確率は（１／１０）２、即ち、１／１００である。
　【００６０】
　次周期以降の「普通図柄および普通役物駆動処理」では既に普通役物開放フラグＦ１がセットされているので、ＣＰＵ１０３はステップＳ５０１およびステップＳ５３０の判別処理のみを繰り返し実行し、普通役物開放時間計測タイマＴａの設定時間の経過を待機することとなる。
　【００６１】
　そして、普通役物開放時間計測タイマＴａの設定時間の経過がステップＳ５３０で検出されたならば、ＣＰＵ２６は普通役物開放ソレノイドＳＯＬ１の励磁を解除し、電動役物９の開閉部材８を揺動して該役物９を閉鎖し（ステップＳ５３１）、普通役物開放フラグＦ１をリセットして電動役物９の開放が終了したことを記憶する（ステップＳ５３２）。電動役物９の開放時間となる普通役物開放時間計測タイマＴａの設定値は約３．０秒である（図１２参照）。
　【００６２】
　普通図柄表示ＬＥＤ群ＮＬ，ＮＲの１回の図柄合せが終了すると普通役物開放フラグＦ１および普通図柄変動フラグＦ２がともにリセットされるので、次周期以降の「普通図柄および普通役物駆動処理」ではステップＳ５０１，ステップＳ５０２，ステップＳ５０３の判別処理が繰り返し実行されることとなるが、左，右ゲート１０ａ，１０ｂへの打球通過数を記憶する通過数記憶レジスタＣ１に残数が記憶されていれば、ＣＰＵ１０３はステップＳ５０３からステップＳ５０４に移行して上述と同様の処理を繰り返し、普通図柄表示ＬＥＤ群ＮＬ，ＮＲの変動表示と図柄の組合せの判別および図柄の一致による電動役物９の開放処理を実行することとなる。
　【００６３】
　普通図柄表示ＬＥＤ群ＮＬ，ＮＲの変動表示や電動役物９の開放処理が行われている間に左，右ゲート１０ａ，１０ｂを通過した打球は「入賞検出処理」で検出されて通過数記憶レジスタＣ１の値をインクリメントさせるが、通過数記憶レジスタＣ１の記憶数の最大値が４に制限される結果、普通図柄表示ＬＥＤ群ＮＬ，ＮＲの変動表示や電動役物９の開放処理の連続実行回数が最大４回に制限される。また、普通役物開放フラグＦ１および普通図柄変動フラグＦ２のうち少なくともその一方がセットされている状態では新たな図柄変動処理が開始されることはないので、通過数記憶レジスタＣ１に残数が記憶されている場合であっても、必ず１回の図柄合せが完了してから次の変動表示が開始され、また、図柄が一致した場合には、更に、電動役物９の開放動作が１回完了してから次の変動表示が開始されることとなる。
　【００６４】
　図２０乃至図２５はステップＳ６の「特別図柄および大入賞口駆動処理」の詳細を示すフローチャートである。
　【００６５】
　図２０乃至図２５において符号Ｆ３は大入賞口４が開放状態にあることを示す大入賞口開放フラグ、符号Ｆ４は特別図柄表示ＬＥＤ群ＳＬ，ＳＭ，ＳＲが変動表示中であることを示す特別図柄変動フラグ、符号Ｃ６は特定入賞口１３への入賞が記憶されているか否かを示す特定領域入賞記憶レジスタ、符号Ｃ２は左，右，中第１種始動口７ａ，７ｂ，７ｃへの入賞数を記憶する第１種始動口入賞数記憶レジスタであり、電源投入直後の段階では各フラグおよびレジスタの値は共に０に初期化されているから、ＣＰＵ１０３はステップＳ６の「特別図柄および大入賞口駆動処理」のサイクルが実行される毎に、ステップＳ６０１乃至ステップＳ６０４の判別処理のみを繰り返し実行することとなる。
　【００６６】
　所定周期毎の「特別図柄および大入賞口駆動処理」でステップＳ６０１乃至ステップＳ６０４の処理を繰り返し実行する間にステップＳ４の「入賞検出処理」で左，右，中第１種始動口７ａ，７ｂ，７ｃへの入賞が検出されると第１種始動口入賞数記憶レジスタＣ２の値がインクリメントされ、ステップＳ６０４の判別結果が偽となり、ＣＰＵ１０３はステップＳ６０５乃至ステップＳ６０９に示す特別図柄の変動表示のための初期設定処理を実行する。
　【００６７】
　ＣＰＵ１０３は、「普通図柄および普通役物駆動処理」の場合と同様、まず、左特別図柄表示ＬＥＤ（ＳＬ），中特別特別図柄表示ＬＥＤ（ＳＭ），右特別図柄表示ＬＥＤ（ＳＲ）に表示すべき初期の図柄を無作為的に選択するため、０以上１４以下の整数値からなる３つの乱数を発生し、特別図柄表示指標Ｉ１，Ｉ２，Ｉ３の各々にこれらの乱数を設定する（ステップＳ６０５）。指標Ｉ１，Ｉ２，Ｉ３の値に対応してＲＯＭ１０１に格納された特別図柄のデータ例を表２に示す。
　【００６８】
　【表２】
　特別図柄表示指標Ｉ１，Ｉ２，Ｉ３の各々に乱数を設定したＣＰＵ１０３は、次いで、中特別図柄切替周期計測タイマｔＭ，右特別図柄切替周期計測タイマｔＲを初期化してタイムアップの状態とし（ステップＳ６０６）、左特別図柄切替周期計測タイマＴＬに高速変動時の図柄切替周期ｔ１を設定して該タイマｔＬによる計時を開始し、更に、経過時間計測タイマＴをスタートさせて図柄変動開始時からの経過時間の計時を開始し（ステップＳ６０７）、左特別図柄表示ＬＥＤ（ＳＬ），中特別図柄表示ＬＥＤ（ＳＭ），右特別図柄表示ＬＥＤ（ＳＲ）の各々に特別図柄表示指標Ｉ１，Ｉ２，Ｉ３の値に対応する特別図柄を表示すると共に（ステップＳ６０８）、特別図柄変動フラグＦ４をセットして、特別図柄表示ＬＥＤ群ＳＬ，ＳＭ，ＳＲの変動表示が開始されたことを記憶する（ステップＳ６０９）。例えば、指標Ｉ１，Ｉ２，Ｉ３の各々に設定された乱数の値が３，６，１１であったならば、特別図柄表示ＬＥＤ群ＳＬ，ＳＭ，ＳＲの各々には、まず、「３」，「６」，「＄」と表示されることになる。
　【００６９】
　次周期以降の「特別図柄および大入賞口駆動処理」では既に特別図柄変動フラグＦ４がセットされているので、ＣＰＵ１０３はステップＳ６０１およびステップＳ６０２の判別処理実行後、経過時間計測タイマＴの現在値と左特別図柄高速変動時間ＴＳＬ１（設定値）とを比較し、左特別図柄高速変動時間が経過しているか否かを判別し（ステップＳ６１０）、左特別図柄高速変動時間が経過していなければ、更に、左特別図柄切替周期計測タイマｔＬの設定時間が経過しているか否かを判別する（ステップＳ６１１）。そして、いずれの設定時間も経過していなければ、ステップＳ４，ステップＳ５，ステップＳ７の処理と共に、ステップＳ６の「特別図柄および大入賞口駆動処理」で、前記と同様、ステップＳ６０１，ステップＳ６０２，ステップＳ６１０，ステップＳ６１１の判別処理のみを繰り返し実行することとなる。
　【００７０】
　このような処理を繰り返し実行する間に、左特別図柄切替周期計測タイマｔＬの設定時間の経過がステップＳ６１１で検出されると、ＣＰＵ１０３は左特別図柄切替周期計測タイマｔＬを再設定して計時を開始すると共に（ステップＳ６１２）、特別図柄表示指標Ｉ１，Ｉ２，Ｉ３の値を０以上１４以下の整数値の範囲で循環的にインクリメントし（ステップＳ６１３乃至ステップＳ６１９）、該指標Ｉ１，Ｉ２，Ｉ３の値に基いて左特別図柄表示ＬＥＤ（ＳＬ），中特別図柄表示ＬＥＤ（ＳＭ），右特別図柄表示ＬＥＤ（ＳＲ）の各々に表２に示されるような特別図柄を循環的に変動表示する（ステップＳ６２０）。前述のように、ステップＳ６０５で指標Ｉ１に設定された乱数の値が３、指標Ｉ２に設定された乱数の値が６、指標Ｉ３に設定された乱数の値が１１であったとするならば、左特別図柄表示ＬＥＤ（ＳＬ）には「３」，「４」…「Ｆ」，「０」，「１」，「２」，「３」…が循環的に変動表示され、また、中特別図柄表示ＬＥＤ（ＳＭ）には「６」，「７」…「Ｆ」，「０」…「５」，「６」…が循環的に変動表示され、右特別図柄表示ＬＥＤ（ＳＲ）には「＄」，「￥」…「Ｆ」，「０」…「
大
　【００７１】
　そして、左特別図柄表示ＬＥＤ（ＳＬ），中特別図柄表示ＬＥＤ（ＳＭ），右特別図柄表示ＬＥＤ（ＳＲ）の変動表示を実行する間に、左特別図柄高速変動時間ＴＳＬ１の経過がステップＳ６１０で検出されると、ＣＰＵ１０３は経過時間計測タイマＴの現在値と左特別図柄中速変動時間ＴＳＬ２（設定値）とを比較し、左特別図柄中速変動時間が経過しているか否かを判別し（ステップＳ６２１）、左特別図柄中速変動時間が経過していなければ、左特別図柄切替周期計測タイマｔＬの設定時間が経過する毎に（ステップＳ６２２）、該タイマｔＬに中速変動時の図柄切替周期ｔ２を設定して再計時を開始し（ステップＳ６２３）、特別図柄表示指標Ｉ１の値を０以上１４以下の整数値の範囲で中速変動時の図柄切替周期ｔ２毎に循環的にインクリメントし（ステップＳ６２４乃至ステップＳ６２６）、該指標Ｉ１の値に基いて左特別図柄表示ＬＥＤ（ＳＬ）に表２に示されるような特別図柄を循環的に中速変動表示する一方（ステップＳ６２７）、右特別図柄切替周期計測タイマｔＲにより高速変動時の図柄切替周期ｔ１毎に中特別図柄表示ＬＥＤ（ＳＭ）および右特別図柄表示ＬＥＤ（ＳＲ）に特別図柄を循環的に高速変動表示する（ステップＳ６２８乃至ステップＳ６３５）。
　【００７２】
　そして、左特別図柄中速変動時間ＴＳＬ２の経過がステップＳ６２１の判別処理で検出されると、ＣＰＵ１０３はステップＳ６３６に移行し、前記したステップＳ６２２乃至ステップＳ６３５と略同等のステップＳ６３７乃至ステップＳ６４２およびステップＳ６２８乃至ステップＳ６３５の処理により、低速変動時の図柄切替周期ｔ３毎に特別図柄表示指標Ｉ１の値をインクリメントして左特別図柄表示ＬＥＤ（ＳＬ）に特別図柄を循環的に低速変動表示する一方（ステップＳ６３７乃至ステップＳ６４２）、右特別図柄切替周期計測タイマｔＲにより高速変動時の図柄切替周期ｔ１毎に中特別図柄表示ＬＥＤ（ＳＭ）および右特別図柄表示ＬＥＤ（ＳＲ）に特別図柄を循環的に高速変動表示する（ステップＳ６２８乃至ステップＳ６３５）。
　【００７３】
　次いで、左特別図柄低速変動時間ＴＳＬ３の経過がステップＳ６３６で検出されると、ＣＰＵ１０３は左特別図柄表示ＬＥＤ（ＳＬ）の低速変動表示を停止し、更に、右特別図柄高速変動時間ＴＳＲ１の経過がステップＳ６４３の判別処理で検出されるまでの間、所定周期毎の「特別図柄および大入賞口駆動処理」でステップＳ６２８乃至ステップＳ６３５の処理を繰り返し実行し、右特別図柄切替周期計測タイマｔＲにより高速変動時の図柄切替周期ｔ１毎に中特別図柄表示ＬＥＤ（ＳＭ）および右特別図柄表示ＬＥＤ（ＳＲ）に特別図柄を循環的に高速変動表示する。従って、左特別図柄表示ＬＥＤ（ＳＬ）の図柄は変動表示開始後ＴＳＬ３が経過した時点で確定されることとなる。
　【００７４】
　そして、右特別図柄高速変動時間ＴＳＲ１の経過がステップＳ６４３の判別処理で検出されると、右特別図柄中速変動時間ＴＳＲ２の経過がステップＳ６４４で検出されるまでの間、ＣＰＵ１０３は右特別図柄切替周期計測タイマｔＲの設定値を中速変動時の図柄切替周期ｔ２に変更して、前記のステップＳ６２２乃至ステップＳ６２７と略同等のステップＳ６４５乃至ステップＳ６５０の処理により、中速変動時の図柄切替周期ｔ２毎に特別図柄表示指標Ｉ３の値をインクリメントして右特別図柄表示ＬＥＤ（ＳＲ）に特別図柄を循環的に中速変動表示する一方、ステップＳ６５１乃至ステップＳ６５６の処理で、中特別図柄切替周期計測タイマｔＭにより高速変動時の図柄切替周期ｔ１毎に中特別図柄表示ＬＥＤ（ＳＭ）に特別図柄を循環的に高速変動表示する。
　【００７５】
　次いで、右特別図柄中速変動時間ＴＳＲ２の経過がステップＳ６４４で検出されると、右特別図柄低速変動時間ＴＳＲ３の経過がステップＳ６５７で検出されるまでの問、ＣＰＵ１０３は右特別図柄切替周期計測タイマｔＲの設定値を低速変動時の図柄切替周期ｔ３に変更して、前記のステップＳ６２２乃至ステップＳ６２７と略同等のステップＳ６５８乃至ステップＳ６６３の処理により、低速変動時の図柄切替周期ｔ３毎に特別図柄表示指標Ｉ３の値をインクリメントして右特別図柄表示ＬＥＤ（ＳＲ）に特別図柄を循環的に低速変動表示する一方、ステップＳ６５１乃至ステップＳ６５６の処理で、中特別図柄切替周期計測タイマｔＭにより高速変動時の図柄切替周期ｔ１毎に中特別図柄表示ＬＥＤ（ＳＭ）に特別図柄を循環的に高速変動表示する。
　【００７６】
　そして、右特別図柄低速変動時間ＴＳＲ３の経過がステップＳ６５７で検出されると、ＣＰＵ１０３は右特別図柄表示ＬＥＤ（ＳＲ）の低速変動表示を停止し、更に、中特別図柄高速変動時間ＴＳＭ１の経過がステップＳ６６４の判別処理で検出されるまでの間、所定周期毎の「特別図柄および大入賞口駆動処理」でステップＳ６５１乃至ステップＳ６５６の処理を繰り返し実行し、中特別図柄切替周期計測タイマｔＭにより高速変動時の図柄切替周期ｔ１毎に中特別図柄表示ＬＥＤ（ＳＭ）に特別図柄を循環的に高速変動表示する。従って、右特別図柄表示ＬＥＤ（ＳＲ）の図柄は変動表示開始後ＴＳＲ３が経過した時点で確定されることとなる。
　【００７７】
　次いで、中特別図柄高速変動時間ＴＳＭ１の経過がステップＳ６６４の判別処理で検出されると、ＣＰＵ１０３はステップＳ６６５に移行し、この時点で既に確定している左特別図柄表示ＬＥＤ（ＳＬ）と右特別図柄表示ＬＥＤ（ＳＲ）の図柄の組合せ状態に応じて、中特別図柄表示ＬＥＤ（ＳＭ）の変動表示を実行することとなる。即ち、この時点で特別図柄表示指標Ｉ１とＩ３の値が一致していない場合、つまり、特別図柄表示ＬＥＤ群ＳＬ，ＳＭ，ＳＲの全ての図柄が一致する可能性のない場合にはステップＳ６６６乃至ステップＳ６７９の処理によって中特別図柄表示ＬＥＤ（ＳＭ）の中，低速図柄変動処理が実施され、また、特別図柄表示指標Ｉ１とＩ３の値が一致している場合、つまり、特別図柄表示ＬＥＤ群ＳＬ，ＳＭ，ＳＲの全ての図柄が一致する可能性のある場合にはステップＳ６８２乃至ステップＳ６９５の処理によって中特別図柄表示ＬＥＤ（ＳＭ）の中，低速図柄変動処理が実施されることとなる。
　【００７８】
　ステップＳ６６５の判別結果が偽となった場合、即ち、特別図柄表示ＬＥＤ群ＳＬ，ＳＭ，ＳＲの全ての図柄が一致する可能性はないと判別された場合、ＣＰＵ１０３は前記したステップＳ６２１乃至ステップＳ６２７と略同等のステップＳ６６６乃至ステップＳ６７２の処理を繰り返し実行し、中速変動時の図柄切替周期ｔ２毎に特別図柄表示指標Ｉ２の値をインクリメントして中特別図柄表示ＬＥＤ（ＳＭ）に特別図柄を循環的に中速変動表示する。そして、ステップＳ６６６の判別処理により中特別図柄中速変動時間ＴＳＭ２の経過が検出されると、中特別図柄低速変動時間ＴＳＭ３の経過が検出されるまでの間、ステップＳ６７３乃至ステップＳ６７９の処理を繰り返し実行し、低速変動時の図柄切替周期ｔ３毎に特別図柄表示指標Ｉ２の値をインクリメントして中特別図柄表示ＬＥＤ（ＳＭ）に特別図柄を循環的に低速変動表示し、ステップＳ６７３の判別処理で中特別図柄低速変動時間ＴＳＭ３の経過が検出されると中特別図柄表示ＬＥＤ（ＳＭ）の変動表示を停止して、特別図柄変動フラグＦ４をリセットすると共に第１種始動口入賞数記憶レジスタＣ２の値をディクリメントして第１種始動口７ａ，７ｂ，７ｃへの入賞に基く特別図柄の図柄合せが１回完了したことを記憶する（ステップＳ６８０，ステップＳ６８１）。
　【００７９】
　この場合、次周期以降の「特別図柄および大入賞口駆動処理」では特別図柄変動フラグＦ４が既にリセットされているので、ステップＳ６０１乃至ステップＳ６０４の判別処理が繰り返し実行されることとなるが、第１種始動口７ａ，７ｂ，７ｃへの入賞数を記憶する第１種始動口入賞数記憶レジスタＣ２に残数が記憶されていれば、ＣＰＵ１０３はステップＳ６０４からステップＳ６０５に移行して上述と同様の処理を繰り返し実行し、特別図柄表示ＬＥＤ群ＳＬ，ＳＭ，ＳＲの変動表示と図柄の組合せ判別を、第１種始動口入賞数記憶レジスタＣ２の値に応じ、最大４回実行することとなる。
　【００８０】
　一方、ステップＳ６６５の判別結果が真となった場合、即ち、特別図柄表示ＬＥＤ群ＳＬ，ＳＭ，ＳＲの全ての図柄が一致する可能性があると判別された場合、ＣＰＵ１０３はステップＳ６８２乃至ステップＳ６８８の処理を繰り返し実行し、中速変動時の図柄切替周期ｔ２′毎に特別図柄表示指標Ｉ２の値をインクリメントして中特別図柄表示ＬＥＤ（ＳＭ）に特別図柄を循環的に中速変動表示する。そして、ステップＳ６８２の判別処理により中特別図柄中速変動時間ＴＳＭ２′の経過が検出されると、中特別図柄低速変動時間ＴＳＭ３′の経過が検出されるまでの問、ステップＳ６８９乃至ステップＳ６９５の処理を繰り返し実行し、低速変動時の図柄切替周期ｔ３′毎に特別図柄表示指標Ｉ２の値をインクリメントして中特別図柄表示ＬＥＤ（ＳＭ）に特別図柄を循環的に低速変動表示し、ステップＳ６８９の判別処理で中特別図柄低速変動時間ＴＳＭ３′の経過が検出されると中特別図柄表示ＬＥＤ（ＳＭ）の変動表示を停止してステップＳ６９６に移行する。
　【００８１】
　図１３は、左特別図柄表示ＬＥＤ（ＳＬ），中特別図柄表示ＬＥＤ（ＳＭ），右特別図柄表示ＬＥＤ（ＳＲ）の変動表示の一例を示すタイミングチャートであり、実施例の場合、左特別図柄表示ＬＥＤ（ＳＬ）の高速変動表示実行時間となる左特別図柄高速変動時間ＴＳＬ１の設定値は約５秒であって、この間、図柄切替周期ｔ１毎に図柄の表示出力の切替が実行される。また、左特別図柄中速変動時間ＴＳＬ２の設定値は約５．１５秒であり、図柄の変動表示開始後ＴＳＬ１経過後に約０．１５秒間中速変動表示が実行される。この間、図柄切替周期ｔ２毎に図柄の表示出力の切替が実行され、ｔ２の設定時間はｔ１の設定時間に比べて長い。左特別図柄低速変動時間ＴＳＬ３の設定値は約５．５５秒であり、図柄の変動表示開始後ＴＳＬ２経過後に約０．４秒間低速変動表示が実行される。この間、図柄切替周期ｔ３毎に図柄の表示出力の切替が実行され、ｔ３の設定時間はｔ２の設定時間に比べて長い。ｔ１乃至ｔ３の関係により、図柄の移動速度は徐々に減速されることとなる。
　【００８２】
　また、右特別図柄表示ＬＥＤ（ＳＲ）の高速変動表示実行時間となる右特別図柄高速変動時間ＴＳＲＩの設定値は約５．６秒であり、左特別図柄低速変動時間ＴＳＬ３に比べて時系列上後位に位置する。右特別図柄中速変動時間ＴＳＲ２の設定値は約５．７５秒であり、図柄の変動表示開始後ＴＳＲ１経過後に約０．１５秒間中速変動表示が実行される。また、右特別図柄低速変動時間ＴＳＲ３の設定値は約６．１５秒であり、図柄の変動表示開始後ＴＳＲ２経過後に約０．４秒間低速変動表示が実行される。
　【００８３】
　中特別図柄表示ＬＥＤ（ＳＭ）の高速変動表示実行時間となる中特別図柄高速変動時間ＴＳＭ１の設定値は約６．４秒であり、右特別図柄低速変動時間ＴＳＲ３に比べて時系列上後位に位置する。
　【００８４】
　そして、左特別図柄表示ＬＥＤ（ＳＬ）および右特別図柄表示ＬＥＤ（ＳＲ）の図柄が一致しなかった場合の中特別図柄中速変動時間ＴＳＭ２の設定値は約６．５５秒であり、図柄の変動表示開始後ＴＳＭ１経過後に約０．１５秒間中速変動表示が実行される。また、左特別図柄表示ＬＥＤ（ＳＬ）および右特別図柄表示ＬＥＤ（ＳＲ）の図柄が一致しなかった場合の中特別図柄低速変動時間ＴＳＭ３の設定値は約６．９５秒であり、図柄の変動表示開始後ＴＳＭ２経過後に約０．４秒間低速変動表示が実行される。
　【００８５】
　一方、左特別図柄表示ＬＥＤ（ＳＬ）および右特別図柄表示ＬＥＤ（ＳＲ）の図柄が一致した場合の中特別図柄中速変動時間ＴＳＭ２′の設定値は約９．９秒であり、図柄の変動表示開始後ＴＳＭ１経過後に約３．５秒間中速変動表示が実行される。この間、図柄切替周期ｔ２′毎に図柄の表示出力の切替が実行され、ｔ２′の設定時間はｔ２の設定時間に比べて長い。また、左特別図柄表示ＬＥＤ（ＳＬ）および右特別図柄表示ＬＥＤ（ＳＲ）の図柄が一致した場合の中特別図柄低速変動時間ＴＳＭ３′の設定値は約１０．２秒であり、図柄の変動表示開始後ＴＳＭ２′経過後に約０．３秒間低速変動表示が実行されることとなる。この間、図柄切替周期ｔ３′毎に図柄の表示出力の切替が実行され、ｔ３′の設定時間はｔ３の設定時間に比べて長い。
　【００８６】
　従って、左特別図柄表示ＬＥＤ（ＳＬ）および右特別図柄表示ＬＥＤ（ＳＲ）の図柄の変動表示が完了した段階で特別図柄表示ＬＥＤ群ＳＬ，ＳＭ，ＳＲの全ての図柄が一致する可能性のある場合、即ち、左特別図柄表示ＬＥＤ（ＳＬ）と右特別図柄表示ＬＥＤ（ＳＲ）の図柄が一致した場合には、中特別図柄表示ＬＥＤ（ＳＭ）の中，低速時の変動速度が減速され、しかも、全体の変動表示時間が延長されることとなり、この間、遊技者は期待を持って中特別図柄表示ＬＥＤ（ＳＭ）の変動表示を観察することができる。
　【００８７】
　左特別図柄表示ＬＥＤ（ＳＬ）と右特別図柄表示ＬＥＤ（ＳＲ）の図柄が一致した場合、ＣＰＵ１０３は更にステップＳ６９６に移行し、特別図柄表示ＬＥＤ群ＳＬ，ＳＭ，ＳＲの全ての図柄が一致しているか否かを判別する。この場合、特別図柄表示指標Ｉ１とＩ３の値は既に一致しているから、中特別図柄表示ＬＥＤ（ＳＭ）に対応する特別図柄表示指標Ｉ２の値が特別図柄表示指標Ｉ１またはＩ３の値と一致しているか否かにより、特別図柄表示ＬＥＤ群ＳＬ，ＳＭ，ＳＲの全ての図柄が一致しているか否かを判別することができる。
【００８８】
　ステップＳ６９６の判別結果が真となった場合、即ち、特別図柄表示ＬＥＤ群ＳＬ，ＳＭ，ＳＲの全ての図柄が一致していると判別された場合、ＣＰＵ１０３は大入賞口開放時間計測タイマＴｂに所定の開放時間を設定して計時を開始すると共に（ステップＳ６９７）、ソレノイド駆動回路１０８を介して大入賞口開放ソレノイドＳＯＬ２に駆動指令を出力して入賞装置５の可動翼片３を揺動し、大入賞口４を開放する（ステップＳ６９８）。更に、大入賞口開放フラグＦ３をセットして第１の入賞装置５が開放状態にあることを記憶すると共に（ステップＳ６９９）、特別図柄変動フラグＦ４をリセットし、かつ、第１種始動口入賞数記憶レジスタＣ２の値をディクリメントして、第１種始動口７ａ，７ｂ，７ｃへの入賞に基く特別図柄の１回の図画合せが完了したことを記憶する（ステップＳ７００，ステップＳ７０１）。
　【００８９】
　入賞装置５が開放されるのは特別図柄表示ＬＥＤ群ＳＬ，ＳＭ，ＳＲの表示図柄が全て一致した場合に限り、その図柄がどのようなものであるかは一切問わない。従って、図柄が一致する確率は表２から明らかなように、（１／１５）３×１５、即ち、１／２２５であって、この値は普通図柄表示ＬＥＤ群ＮＬ，ＮＲの双方が共に当り図柄「７」を表示する確率１／１００に比べて小さい。
　【００９０】
　図柄の一致により大入賞口４が開放された場合には、次周期以降の「特別図柄および大入賞口駆動処理」では既に大入賞口開放フラグＦ３がセットされているので、ＣＰＵ１０３はステップＳ６０１，ステップＳ７０２，ステップＳ７０３の判別処理のみを繰り返し実行し、大入賞口開放時間計測タイマＴｂの設定時間の経過（ステップＳ７０２）、もしくは、大入賞口４の１開放動作中における大入賞口４への１０発以上の入賞、即ち、大入賞口入賞数記憶レジスタＣ４の値が１０を越える状態（ステップＳ７０３）を待機することとなる。
　【００９１】
　図１４は大入賞口４の開放動作の一例を示すタイミングチャートである。通常、大入賞口４の開放時間は開放時間計測タイマの設定値Ｔｂに規制されるが、大入賞口開放時間計測タイマＴｂの設定時間が経過する前に大入賞口４への入賞が１０発以上検出された場合には、タイマＴｂの設定時間が経過した場合と同様、ＣＰＵ１０３は大入賞口入賞数記憶レジスタＣ４の値を初期化して大入賞口開放ソレノイドＳＯＬ２の励磁を解除し、可動翼片３を揺動して大入賞口４を閉鎖すると共に（ステップＳ７０４，ステップＳ７０５）、大入賞口開放フラグＦ３をリセットして大入賞口４が閉鎖されたことを記憶する（ステップＳ７０６）。
　【００９２】
　このようにして大入賞口４の１開放動作が完了すると次周期以降の「特別図柄および大入賞口駆動処理」では特別図柄変動フラグＦ４および大入賞口開放フラグＦ３がリセットされた状態となり、ステップＳ６０１乃至ステップＳ６０４の判別処理が繰り返し実行されることとなるが、大入賞口４の開放動作中に該大入賞口４の特定入賞口１３に打球が入賞した場合には「入賞検出処理」におけるステップＳ４１６の処理で特定領域入賞記憶レジスタＣ６の値がインクリメントされ、ＣＰＵ１０３はステップＳ６０３の判別処理実行後、再度、大入賞口４を開放することとなる。
　【００９３】
　即ち、ＣＰＵ１０３はステップＳ６０３の判別処理実行後、大入賞口４の連続開放回数を記憶する開放回数記憶レジスタＣ７の値をインクリメントして大入賞口４の連続開放回数を記憶し（ステップＳ７０７）、該開放回数記憶レジスタＣ７の値が１６を越えたか否か、即ち、大入賞口４の開放動作が既に１６回以上連続して実施されたか否かを判別し（ステップＳ７０８）、大入賞口４の開放動作が１６回以上実施されていなければ大入賞口開放時間計測タイマＴｂに所定の開放時間を再設定した後（ステップＳ７０９）、大入賞口開放ソレノイドＳＯＬ２に駆動指令を出力して入賞装置５の可動翼片３を揺動し、大入賞口４を再度開放する（ステップＳ７１０）。更に、大入賞口開放フラグＦ３をセットして入賞装置５が開放状態にあることを記憶すると共に（ステップＳ７１１）、特定領域入賞記憶レジスタＣ６の値をディクリメントして、特定入賞口１３への入賞に基く大入賞口４の開放動作が更に１回実施されることを記憶する（ステップＳ７１２）。大入賞口４の閉鎖条件は特別図柄の一致による開放の場合と同様、ステップＳ７０２およびステップＳ７０３の判別処理によるが、大入賞口入賞数記憶レジスタＣ４の値は前回の閉鎖時に初期化されているので、新規の開放動作毎に１０発の入賞または設定開放時間Ｔｂの開放動作が可能となる。
　【００９４】
　このようにして大入賞口４の連続開放動作が実行される間に大入賞口４の特定入賞口１３に打球が入賞すると特定領域入賞記憶レジスタＣ６の値が再度インクリメントされることとなるが、特定入賞口１３への入賞に基く大入賞口４の連続開放動作は開放回数記憶レジスタＣ７の値によって規制されるので、大入賞口４の連続開放動作が１６回を越えて実施されることはない。ステップＳ７０８における判別処理の結果が真となれば、ＣＰＵ１０３はステップＳ７１３に移行して開放回数記憶レジスタＣ７の値を初期化し、更に、特定領域入賞記憶レジスタＣ６の値を初期化するので（ステップＳ７１４）、次周期以降の「特別図柄および大入賞口駆動処理」では特定領域入賞記憶レジスタＣ６の値が０となり、大入賞口４の１７回目の連続開放動作は実施されない。
　【００９５】
　また、開放回数記憶レジスタＣ７の値は初期化されているから、特別図柄の一致に基いて大入賞口４の開放が再度実行され、この間に大入賞口４の特定入賞口１３に打球が入賞した場合には、特定入賞口１３への入賞数に基き、再び、最高１６回までの連続開放動作が可能とされる。なお、実施例における大入賞口４の１開放動作の継続時間、即ち、大入賞口開放時間計測タイマＴｂの設定時間は約２９．５秒である。
　【００９６】
　左，右ゲート１０ａ，１０ｂへの打球通過数である通過数記憶レジスタＣｌの値、左，右，中第１種始動口７ａ，７ｂ，７ｃへの入賞数である第１種始動口入賞数記憶レジスタＣ２の値、大入賞口４への入賞数である大入賞口入賞数記憶レジスタＣ４の値の各々は、ステップＳ７に示す「その他の処理」により、入賞装置５に一体的に配設された記憶数表示ＬＥＤ（Ａ）、表示ユニット６に配設された記憶数表示ＬＥＤ（Ｂ）、表示ユニット６に配設された大入賞口入賞数表示ＬＥＤ（Ｃ）の各々に逐次切替表示される。
　【００９７】
　「その他の処理」においては、更に、賞球払出し処理や各種の表示ＬＥＤ，ランプ等の表示切替処理および効果音出力処理等を実行するが、これらの処理は公知であるから詳細は省略する。なお、賞球の払出しに関する処理においては、７発払出しカウンタＣ３および１５発払出しカウンタＣ５の値に基いて賞球払出し装置に払出し個数に応じた賞球払出し指令を出力し、次周期以降の処理で賞球の払出しを確認してカウンタの値をディクリメントするようになっており、各カウンタの値が０になるまで、このような処理が繰り返し実行される。
　【００９８】
　実施例において、大入賞口４の第ｎ回目の開放動作が完了したのち大入賞口４の第ｎ＋１回目の開放動作を連続して実行するか否かは、第ｎ回目の開放動作中に大入賞口４の特定入賞口１３への入賞が検出されたか否かに依存するが、入賞装置５または５′によれば、大入賞口４の一開放動作中における特定入賞口１３への入賞が１回に限定されるので、特定領域入賞記憶レジスタＣ６の取り得る値は０と１以外にない。
　【００９９】
　従って、第ｎ＋１回目の開放動作を実現するためには第ｎ回目の開放動作中に特定入賞口１３へ打球を入賞させることが必須の要件となる。即ち、特定入賞口１３への入賞を無制限に許可し、この値を特定領域入賞記憶レジスタＣ６に記憶して大入賞口４の連続開放動作が１回完了する毎にレジスタＣ６の値をディクリメントし、該レジスタＣ６の値が０になるまで大入賞口４の連続開放動作を実行させる従来方式のように、第ｎ−１回目以前の開放動作における特定入賞口１３への入賞動作に基いて第ｎ＋１回目の開放動作を実現させることは不能となり、より緊迫した状況でスリリングなパチンコ遊技を楽しむことができる。
【０１００】
　前回の一開放動作中の入賞状態にのみ基いて次の一開放動作の実行の可否を選択する処理は制御装置１００のソフトウェアの変更によっても達成し得るが、実施例の入賞装置５または５′によれば大入賞口４の一開放動作中における特定入賞口１３への入賞が必然的に１回に限定されるので、ソフトウェア上の変更等を全く必要とせず、しかも、従来と同様の制御装置を有するパチンコ機にこれらの入賞装置を取り付けるだけで、容易に入賞態様を変化させることができる。
　【０１０１】
　なお、本発明の要旨は、他の入賞口と異なる特別の機能を有して大入賞口内に配設された特定入賞口への入賞を大入賞口の一開放動作につき一回のみ許容することによってパチンコ遊技の態様を様々に変化させようとするものであって、特定入賞口自体の機能および特定入賞口への入賞を刺激として展開されるパチンコ機のシーケンス動作等を限定するものではない。
　【０１０２】
　前記の実施例によれば、大入賞口４の一開放動作中における特定入賞口１３への入賞が一回に限定される結果として、大入賞口４の開放動作が多数回繰り返して実行されるチャンスが縮小されるが、これを補うために大入賞口４への入賞検出回数に基く強制閉鎖条件を解除したり、一開放動作の継続時間を延長したりしてもよい。
　【０１０３】
　【発明の効果】
　本発明のパチンコ機の入賞装置によれば、大入賞口の内部に配設された特定入賞口への入賞が大入賞口の一開放動作につき一回に制限されるので、特定入賞口への入賞検出に基く大入賞口の連続開放動作等を連続して実行するためには大入賞口の一開放動作毎に特定入賞口への入賞を実現させる必要があり、遊戯者はより緊迫した状況でスリリングなパチンコ遊技を楽しむことができる。
【図面の簡単な説明】
　【図１】
　本発明によるパチンコ機の入賞装置を装着した一実施例のパチンコ機の要部を示す正面図
　【図２】
　同実施例の入賞装置を遊技盤から取外して外観を示す斜視図
　【図３】
　同実施例の入賞装置の要部を示す背面透視図
　【図４】
　同実施例の入賞装置の要部を示す側断面図
　【図５】
　可動翼片および開閉弁の開放位置で同実施例の入賞装置の要部を示す背面透視図
　【図６】
　可動翼片および開閉弁の開放位置で同実施例の入賞装置の要部を示す側断面図
　【図７】
　可動翼片の開放位置および開閉弁の閉鎖位置で同実施例の入賞装置の要部を示す背面透視図
　【図８】
　可動翼片の開放位置および開閉弁の閉鎖位置で同実施例の入賞装置の要部を示す側断面図
　【図９】
　可動翼片および開閉弁の開放位置で別の同実施例の入賞装置の要部を示す背面透視図
　【図１０】
　可動翼片および開閉弁の開放位置で別の同実施例の入賞装置の要部を示す側断面図
　【図１１】
　各実施例に適用されるパチンコ機の制御装置の要部を示すブロック図
　【図１２】
　同実施例のパチンコ機における普通図柄表示ＬＥＤの変動表示を示すタイミングチャート
　【図１３】
　同実施例のパチンコ機における特別図柄表示ＬＥＤの変動表示を示すタイミングチャート
　【図１４】
　同実施例の入賞装置の可動翼片の開閉動作を示すタイミングチャート
　【図１５】
　同実施例のパチンコ機における制御装置の処理の概略を示すフローチャート
　【図１６】
　同実施例のパチンコ機の制御装置による入賞検出処理を示すフローチャート
　【図１７】
　同実施例のパチンコ機の制御装置による入賞検出処理を示すフローチャートの続き
　【図１８】
　同実施例のパチンコ機の制御装置による普通図柄および普通役物駆動処理を示すフローチャート
　【図１９】
　同実施例のパチンコ機の制御装置による普通図柄および普通役物駆動処理を示すフローチャートの続き
　【図２０】
　同実施例のパチンコ機の制御装置による特別図柄および大入賞口駆動処理を示すフローチャート
　【図２１】
　同実施例のパチンコ機の制御装置による特別図柄および大入賞口駆動処理を示すフローチャートの続き
　【図２２】
　同実施例のパチンコ機の制御装置による特別図柄および大入賞口駆動処理を示すフローチャートの続き
　【図２３】
　同実施例のパチンコ機の制御装置による特別図柄および大入賞口駆動処理を示すフローチャートの続き
　【図２４】
　同実施例のパチンコ機の制御装置による特別図柄および大入賞口駆動処理を示すフローチャートの続き
　【図２５】
　同実施例のパチンコ機の制御装置による特別図柄および大入賞口駆動処理を示すフローチャートの続き
　【符号の説明】
　１　　　　パチンコ機
　２　　　　遊技盤
　３　　　　可動翼片
　４　　　　大入賞口
　１３　　　特定入賞口
　１４　　　普通人賞口
　１５　　　普通入賞口
　２８　　　開閉弁
　３５　　　開閉弁の付勢手段となるウェイト
　３４　　　通過するパチンコ球の重量を検出する球受け部
　３６　　　固定部材としての揺動レバー
　３９　　　元位置復帰機構としての梁状部材
　４２　　　パチンコ球
　ＳＯＬ２　可動翼片を開閉する駆動手段となる大入賞口開放ソレノイド
　３′　　　可動翼片
　１３′　　特定入賞口
　１４′　　普通入賞口
　１５′　　普通入賞口
　４３　　　開閉弁の付勢手段となるスプリング
　４４　　　開閉弁としての昇降部材
　４６　　　固定部材
　４９　　　元位置復帰機構としての固定解除部材
　ＳＯＬ２′可動翼片を開閉する駆動手段となる大入賞口開放ソレノイド
　【表１】
　【表２】